(57)【要約】      （修正有）【課題】通信品質の低下を防止することができる撮像装置を提供する。【解決手段】本体ケースと、グリップベルト１０と、本体ケースに格納されたＷｉ−Ｆｉモジュール４０と、を備える。通信モジュール４０は、基板４１と、処理回路４２と、アンテナ４３と、を有する。グリップベルト１０は、本体ケースの右側面に設けられた第１の取付部１１から本体ケースのレンズ鏡筒の開口部側と反対側に設けられた第２の取付部１２まで延在する。光軸に対して略直交し、第１の取付部１１を通る基準面２００よりもレンズ鏡筒の開口部側若しくは基準面２００の近傍に、通信モジュール４０が配置される。【選択図】図５
2013115646.tif 000002
【特許請求の範囲】
【請求項１】
基板と、前記基板に設けられたアンテナと、前記基板に設けられ前記アンテナが送受信する信号を処理する処理回路と、を有する通信モジュールと、
レンズ鏡筒を有するレンズユニット及び前記通信モジュールを格納する筐体と、
前記筐体の第１の側面に設けられた第１の取付部から前記筐体の前記レンズ鏡筒の開口部側と反対側に設けられた第２の取付部まで延在するグリップベルトと、
を備え、
前記レンズ鏡筒の光軸に対して略直交し、前記第１の取付部を通る基準面よりも前記レンズ鏡筒の開口部側若しくは前記基準面の近傍に、前記通信モジュールが配置されていることを特徴とする撮像装置。
【請求項２】
前記アンテナは、前記処理回路よりも前記レンズ鏡筒の開口部側に配置され、
前記処理回路は、前記基準面よりも前記レンズ鏡筒の開口部側若しくは前記基準面の近傍に配置されていることを特徴とする請求項１に記載の撮像装置。
【請求項３】
前記筐体の前記第１の側面と対向する第２の側面に、開閉可能に設けられた表示部をさらに備え、
前記通信モジュールは、前記第２の側面と前記レンズユニットとの間の空間以外に配置されていることを特徴とする請求項１又は請求項２に記載の撮像装置。
【請求項４】
前記筐体の前記第１の側面と前記第２の側面との間の幅を変化させるための段差部が、前記第１の側面に設けられ、
前記筐体は、前記段差部の前記レンズ鏡筒の開口部側に設けられた幅広部と、前記段差部の前記レンズ鏡筒の開口部側と反対側に設けられた幅狭部と、を有し、
前記通信モジュールは、前記幅広部に配置されていることを特徴とする請求項１〜請求項３のいずれか一項に記載の撮像装置。
【請求項５】
前記アンテナは、前記レンズ鏡筒の側方に設けられていることを特徴とする請求項１〜請求項４のいずれか一項に記載の撮像装置。
【請求項６】
前記筐体の前記レンズ鏡筒の開口部側と反対側に設けられた操作部をさらに備えることを特徴とする請求項１〜請求項５のいずれか一項に記載の撮像装置。
【発明の詳細な説明】
【技術分野】
【０００１】
本発明は撮像装置に関する。
【背景技術】
【０００２】
デジタルカメラ等の撮像装置に通信手段を付加した技術が知られている。例えば、特許文献１には、電気絶縁領域内にアンテナが配置されたレンズ装置が開示されている。アンテナを電気絶縁領域に配置することにより、当該アンテナはアンテナ特性を阻害する金属の影響を受けず、良好な通信特性を得ることができる。
【先行技術文献】
【特許文献】
【０００３】
【特許文献１】特開２０１１−１３９２４２号公報
【発明の概要】
【発明が解決しようとする課題】
【０００４】
しかしながら、近年、撮像装置は小型化が進んでいるため、ユーザが撮像装置を把持する際に、撮像装置の大部分をユーザの手が覆ってしまう。そのため、ユーザの手が撮像装置に設けられたアンテナ部分に被ってしまい、通信品質が低下してしまうという問題があった。
【０００５】
なお、特許文献１に記載のレンズ装置においては、レンズ装置を構成する金属の影響からアンテナを保護することについては開示されているが、アンテナがユーザの手に覆われてしまうことについての対策は何ら開示されていない。
【０００６】
本発明は、上記の課題に鑑みてなされたものであり、通信品質の低下を防止することができる撮像装置を提供することを目的とする。
【課題を解決するための手段】
【０００７】
本発明の一態様に係る撮像装置（１００）は、基板（４１）と、前記基板（４１）に設けられたアンテナ（４３）と、前記基板（４１）に設けられ前記アンテナ（４３）が送受信する信号を処理する処理回路（４２）と、を有する通信モジュール（４０）と、レンズ鏡筒（３１）を有するレンズユニット（３０）及び前記通信モジュール（４０）を格納する筐体（１）と、前記筐体（１）の第１の側面に設けられた第１の取付部（１１）から前記筐体（１）の前記レンズ鏡筒（３１）の開口部側と反対側に設けられた第２の取付部（１２）まで延在するグリップベルト（１０）と、を備え、前記レンズ鏡筒（３１）の光軸に対して略直交し、前記第１の取付部（１１）を通る基準面（２００）よりも前記レンズ鏡筒（３１）の開口部側若しくは前記基準面（２００）の近傍に、前記通信モジュール（４０）が配置されているものである。
前記アンテナ（４３）は、前記処理回路（４２）よりも前記レンズ鏡筒（３１）の開口部側に配置され、前記処理回路（４２）は、前記基準面（２００）よりも前記レンズ鏡筒（３１）の開口部側若しくは前記基準面（２００）の近傍に配置されていてもよい。
前記筐体（１）の前記第１の側面と対向する第２の側面に、開閉可能に設けられた表示部（３）をさらに備え、前記通信モジュール（４０）は、前記第２の側面と前記レンズユニット（３０）との間の空間以外に配置されていてもよい。
前記筐体の前記第１の側面と前記第２の側面との間の幅を変化させるための段差部（８０）が、前記第１の側面に設けられ、前記筐体（１）は、前記段差部（８０）の前記レンズ鏡筒（３１）の開口部側に設けられた幅広部と、前記段差部（８０）の前記レンズ鏡筒（３１）の開口部側に設けられた幅狭部と、を有し、前記通信モジュール（４０）は、前記幅広部に配置されていてもよい。
前記アンテナ（４３）は、前記レンズ鏡筒（３１）の側方に設けられていてもよい。
前記筐体（１）の前記レンズ鏡筒（３１）の開口部側と反対側に設けられた操作部（８）をさらに備えてもよい。
【発明の効果】
【０００８】
本発明によれば、通信品質の低下を防止することができる撮像装置を提供することができる。
【図面の簡単な説明】
【０００９】
【図１】実施の形態にかかる撮像装置の外観斜視図である。
【図２】実施の形態にかかる撮像装置の外観斜視図である。
【図３】実施の形態にかかる撮像装置の外観斜視図である。
【図４】実施の形態にかかる撮像装置の分解斜視図である。
【図５】実施の形態にかかる撮像装置の側面透視図である。
【図６】実施の形態にかかる撮像装置の内部構成を示す図である。
【図７】実施の形態にかかる撮像装置の内部構成を示す部分拡大図である。
【発明を実施するための形態】
【００１０】
以下、図面を参照して本発明の実施の形態について説明する。図１〜図３は、本実施の形態に係る撮像装置１００の全体的な構成を示す斜視図である。以下の説明では、説明の明確化のため、図に示すようなｘｙｚ直交座標系を用いて、説明を行う。
【００１１】
ここでは、ｘ軸が、撮像装置１００の前後方向を示し、ｙ軸が撮像装置１００の上下方向（鉛直方向）を示し、ｚ軸が撮像装置１００の左右方向（横方向、幅方向）を示している。すなわち、ｘ方向が、撮像装置１００に設けられたレンズの光軸に平行な方向であり、ｙ方向、及びｚ方向が撮像装置１００に設けられたレンズの光軸と垂直な方向である。さらに、撮像装置１００を把持するユーザを基準に方向を特定する。すなわち、＋ｘ側が後方側（レンズ鏡筒の開口部側の反対側）、−ｘ側が前方側（レンズ鏡筒の開口部側）、＋ｙ側が上方側、−ｙ側が下方側、＋ｚ側が左側、−ｚ側が右側とする。もちろん、上記の方向は、相対的なものであり、撮像装置１００の向きに応じて変化する。
【００１２】
図１、図２に示すように、撮像装置１００は、本体ケース１、フロントカバー２、モニタ部３、及びヒンジ４を備える。本体ケース１の前端には、フロントカバー２が取り付けられている。なお、図１では、フロントカバー２に設けられたレンズバリア２１が閉状態となっている。図２では、レンズバリア２１は開状態となっている。本体ケース１は、複数のレンズを有するレンズユニットや、撮像素子、バッテリ、Ｗｉ−Ｆｉモジュール等を格納する筐体である。
【００１３】
また、本体ケース１の左側面（第２の側面）には、モニタ部３が設けられている。モニタ部３は、本体ケース１に対して、ヒンジ４を介して連結されている。モニタ部３は、被写体、記憶された画像データ、設定情報、その他の情報を表示する液晶ディスプレイなどを有している。例えば、ユーザが撮像を行うために、モニタ部３を開くことで、電源がオン状態となる。これにより、図２に示すように、レンズバリア２１が開状態となる。レンズバリア２１が開状態となると、フロントカバー２に設けられた開口部を通じて、レンズ５が露出する。これにより、撮像装置１００が、撮像可能な状態となる。なお、モニタ部３を開いた状態では、モニタ部３のモニタは、後方側、すなわちユーザ側を向いて配置されている。
【００１４】
レンズ５は、外部の光を撮像装置１００内の撮像素子に導くものである。撮像装置１００は、レンズ５を通して伝播してきた光を受光して、被写体を撮像する。
【００１５】
図３は、図１、図２において示した撮像装置１００の左側面と対向する右側面（第１の側面）から見た斜視図である。撮像装置１００は、グリップ部６、突片７、操作部８、及びグリップベルト１０を備える。グリップ部６は、ユーザが手（右手）で撮像装置１００を把持する部分である。グリップ部６の一部には、バッテリカバー６１が配置されている。バッテリカバー６１の内側にバッテリが搭載される。バッテリは、撮像装置１００のモニタ部３や撮像素子に電源を供給する。
【００１６】
突片７は、本体ケース１から、幅方向（右方向）に突出している。レンズバリア２１を開状態から閉状態に移行させる場合、ユーザが、突片７を操作する。これにより、レンズバリア２１が開状態から閉状態になる。
【００１７】
操作部８は、本体ケース１の上面の後方（レンズ鏡筒の開口部側と反対側）端部に設けられている。操作部８は、ボタン、レバー等からなり、シャッター操作、ズーム操作、その他の各種命令に応じた操作を受け付ける。なお、タッチパネル機能を備える場合には、モニタ部３のディスプレイが操作部の一部となる。また、操作部８の配置位置は、本体ケース１の上面の後方端部に限られない。
【００１８】
グリップベルト１０は、撮像装置１００の右側面に延在している。グリップベルト１０は、グリップ部６を把持するユーザの手を押さえる。グリップベルト１０の一端は、本体ケース１の右側面に設けられた第１の取付部１１に取り付けられている。一方、グリップベルト１０の他端は、本体ケース１の後方端部に設けられた第２の取付部（不図示）に取り付けられている。第１の取付部１１は、グリップ部６よりも前方に設けられている。より詳細には、第１の取付部１１は、グリップ部６よりも前方、かつ突片７よりも後方であって、レンズバリア２１（レンズ５）よりも下方に配置されている。なお、第１の取付部１１及び第２の取付部の位置は、図３に示した位置に限られない。第１の取付部１１と第２の取付部との間にユーザの手が入るように、第１の取付部１１と第２の取付部が間隔を空けて配置されていればよい。例えば、第２の取付部は、本体ケース１の後方側（レンズ鏡筒の開口部側と反対側）に設けられていればよく、本体ケース１の右側面の後方に設けられていてもよい。
【００１９】
次に、図４に示す分解斜視図を用いて、本体ケース１の内部構造について説明する。フロントカバー２の後方には、レンズユニット３０が配置される。レンズユニット３０は、レンズ５を有する境筒３１と、図示しない複数のレンズを格納する。レンズユニット３０の後方には、図示しない撮像素子、制御基板、バッテリ等が配置される。
【００２０】
Ｗｉ−Ｆｉモジュール４０（通信モジュール）は、レンズユニット３０と本体ケース１の右側面１ａとの間に配置される。Ｗｉ−Ｆｉモジュール４０は、レンズユニット３０の側面に配置される。より詳細には、Ｗｉ−Ｆｉモジュール４０は、例えばネジ等により、レンズユニット３０の右側面に対して位置固定される。勿論、Ｗｉ−Ｆｉモジュール４０は、レンズユニット３０に対して直接取り付けられてもよいし、他の構成部品を介して取り付けられてもよい。
【００２１】
Ｗｉ−Ｆｉモジュール４０は、基板４１、処理回路４２、及びアンテナ４３を有する。基板４１は、右側面１ａと平行に配置されている。処理回路４２は、基板４１上に配置され、アンテナ４３が送受信する信号を処理する回路である。アンテナ４３は、基板４１内部に設けられたパターンアンテナであり、外部機器と信号の送受信を行う。勿論、通信方式はＷｉ−Ｆｉに限られず、Ｂｌｕｅｔｏｏｔｈ等の様々な方式が適用できることは言うまでもない。
【００２２】
次に、図５〜図７を用いて、Ｗｉ−Ｆｉモジュール４０の配置位置について詳細に説明する。図５は、撮像装置１００の右側面透視図である。図６は、撮像装置１００の内部構成を示す図である。図７は、図６の破線で囲まれた部分の拡大図である。図６及び図７においては、本体ケース１が透明になっている。また、図５においては、説明の便宜のため、本体ケース１の内部構成として、Ｗｉ−Ｆｉモジュール４０のみを破線で示している。なお、図５、図６においては、グリップベルト１０の他端は、本体ケース１の後ろ側面に設けられた第２の取付部１２に取り付けられている。
【００２３】
レンズユニット３０の後方には、撮像素子やモニタ部３を制御する制御基板５０が配置されると共に、バッテリ７０が配置される。制御基板５０は、本体ケース１の左側面において、レンズユニット３０の後方端部から本体ケース１の後方端部まで延在する。すなわち、本体ケース１の内部においては、レンズユニット３０及び制御基板５０が、光軸（ｘ軸）方向に並んで配置されている。なお、制御基板５０は、複数の基板に別れて配置されていてもよい。
【００２４】
バッテリ７０は、本体ケース１の右側面において、レンズユニット３０の後方端部から本体ケース１の後方端部まで延在する。すなわち、本体ケース１の内部においては、レンズユニット３０及びバッテリ７０が、光軸（ｘ軸）方向に並んで配置されている。
【００２５】
本体ケース１の右側面には、本体ケース１の幅を変化させるための段差部８０が設けられている。このため、本体ケース１において、段差部８０の後方部分（幅狭部）は、段差部８０の前方部分（幅広部）よりもｚ軸方向の幅（横方向の長さ）が狭くなっている。言い換えると、幅狭部と幅広部とが段差部８０となる。幅狭部の右側面は、グリップ部６である。幅狭部には、制御基板５０及びバッテリ７０が格納されている。レンズユニット３０は、幅広部から幅狭部にかけて延在している。Ｗｉ−Ｆｉモジュール４０は、幅広部に格納されている。つまり、Ｗｉ−Ｆｉモジュール４０は、グリップ部６よりも前方に配置されている。このとき、ユーザは幅狭部（グリップ部６）を把持するため、幅広部に格納されたアンテナ４３がユーザの手に覆われることを回避できる。なお、段差部８０における幅の変化は、図５に示すように滑らかな変化（傾斜形状）であってもよいし、急な変化（ステップ形状）であってもよい。
【００２６】
Ｗｉ−Ｆｉモジュール４０は、レンズユニット３０の右側であって、第１の取付部１１及び突片７よりも上方に配置されている。言い換えると、Ｗｉ−Ｆｉモジュール４０は、レンズユニット３０に設けられたレンズ鏡筒３１の側方に配置されている。
【００２７】
すなわち、Ｗｉ−Ｆｉモジュール４０は、レンズ鏡筒３１の光軸（ｘ軸）に対して略直交し、第１の取付部１１を通る基準面２００の近傍に配置されている。より詳細には、Ｗｉ−Ｆｉモジュール４０の処理回路４２は、基準面２００と交差して配置されている。また、Ｗｉ−Ｆｉモジュール４０において、アンテナ４３は、処理回路４２よりも前方に配置されている。つまり、アンテナ４３は、基準面２００よりも前方に配置されている。言い換えると、アンテナ４３は、第１の取付部１１よりも前方に配置されている。勿論、Ｗｉ−Ｆｉモジュール４０全体が、基準面２００よりも前方に配置されていてもよい。
【００２８】
なお、Ｗｉ−Ｆｉモジュール４０は、基準面２００よりもレンズ鏡筒３１の開口部側若しくは基準面２００の近傍に配置されていればよく、レンズユニット３０の右側に限られない。例えば、レンズユニット３０の上側または下側であってもよい。ただし、レンズユニット３０の左側においては、基準面２００付近にはヒンジ４が存在するため、Ｗｉ−Ｆｉモジュール４０を配置できない。したがって、Ｗｉ−Ｆｉモジュール４０は、本体ケース１の左側面とレンズユニット３０との間の空間以外に配置されていればよい。
【００２９】
以上のように、本実施の形態にかかる撮像装置１００の構成によれば、Ｗｉ−Ｆｉモジュール４０のアンテナ４３が、基準面２００より前方に配置されている。言い換えると、アンテナ４３は、第１の取付部１１（グリップベルト１０の端部）よりも前方に配置されている。このとき、ユーザの手は、第１の取付部１１よりも前方部分を把持することはない。そのため、ユーザの手が、アンテナ４３を覆うことを防止できる。したがって、Ｗｉ−Ｆｉモジュール４０の通信品質の低下を防止することができる。
【００３０】
なお、本発明は上記実施の形態に限られたものではなく、趣旨を逸脱しない範囲で適宜変更及び組み合わせをすることが可能である。例えば、Ｗｉ−Ｆｉモジュール４０は必ずしも基準面２００より前方に配置される必要はなく、基準面２００の近傍であればよい。基準面２００近傍であれば、ユーザの手がアンテナ４３に被る部分は少なく、通信品質の低下を防止できる。
【符号の説明】
【００３１】
１  本体ケース
２  フロントカバー
３  モニタ部
４  ヒンジ
５  レンズ
６  グリップ部
７  突片
８  操作部
１０  グリップベルト
１１  第１の取付部
１２  第２の取付部
２１  レンズバリア
３０  レンズユニット
３１  レンズ鏡筒
４０  Ｗｉ−Ｆｉモジュール
４１  基板
４２  処理回路
４３  アンテナ
５０  制御基板
６１  バッテリカバー
７０  バッテリ
８０  段差部
【図１】
2013115646.tif 000003
【図２】
2013115646.tif 000004
【図３】
2013115646.tif 000005
【図４】
2013115646.tif 000006
【図５】
2013115646.tif 000007
【図６】
2013115646.tif 000008
【図７】
2013115646.tif 000009